(57)【特許請求の範囲】
【請求項１】
第１情報通信装置と、１以上の第２情報通信装置とを備える情報通信システムであって、
前記第１情報通信装置は、
入力された入力情報を表示する第１表示部と、
前記第１表示部に表示された入力情報をコピーしてコピー情報を生成し、前記コピー情報の送信先を前記１以上の第２情報通信装置のいずれかに決定する第１制御部と、
前記第１制御部により決定された第２情報通信装置に前記コピー情報を送信する第１通信部と、を備え、
前記第２情報通信装置は、
前記第１情報通信装置から前記コピー情報を受信する第２通信部と、
前記第２通信部により受信されたコピー情報を記憶する記憶部と、
入力された入力情報を表示する入力情報表示領域、及び前記記憶部により記憶されたコピー情報を前記第１通信部から一度に送信されたコピー単位情報ごとに表示するコピー情報表示領域を有する第２表示部と、
前記記憶部により記憶されたコピー情報を前記コピー単位情報ごとに前記コピー情報表示領域に表示させ、該表示させたコピー単位情報から所定の操作により情報を選択し、該選択された情報を含むコピー単位情報から該選択された情報を除いた情報を前記入力情報表示領域にペーストして表示させる第２制御部と、
を備えることを特徴とする情報通信システム。
【請求項２】
第１情報通信装置と、１以上の第２情報通信装置とを備える情報通信システムにおける第２情報通信装置であって、
前記第１情報通信装置からコピー情報を受信する通信部と、
前記通信部により受信されたコピー情報を記憶する記憶部と、
入力された入力情報を表示する入力情報表示領域、及び前記記憶部により記憶されたコピー情報を前記第１情報通信装置から一度に送信されたコピー単位情報ごとに表示するコピー情報表示領域を有する表示部と、
前記記憶部により記憶されたコピー情報を前記コピー単位情報ごとに前記コピー情報表示領域に表示させ、該表示させたコピー単位情報から所定の操作により情報を選択し、該選択された情報を含むコピー単位情報から該選択された情報を除いた情報を前記入力情報表示領域にペーストして表示させる制御部と、
を備えることを特徴とする情報通信装置。
【発明の詳細な説明】
【技術分野】
【０００１】
本発明は、情報通信システム、及び該情報通信システムにおける情報通信装置に関するものである。
【背景技術】
【０００２】
従来、あるツールで作成した文字、絵、写真等の情報を、コピー操作により一時的にバッファに蓄え、その後ペースト操作を行うことにより、同一情報を再度作成する手間を省くことが可能な、デスクトップＰＣ、ノートＰＣ、タブレットＰＣ、携帯電話、スマートフォン等の様々な情報通信装置が開発されている。また、情報通信装置は、他の情報通信装置により作成された文字列や画像等のデータを、ウェブや電子メールを利用して転送する等により取得することができ、取得した文字列や画像をコピー＆ペーストすることも可能である（例えば、特許文献１参照）。
【０００３】
図１０は、従来の情報通信装置間で情報を受け渡してコピー＆ペースト操作を行う場合の動作を説明するフローチャートである。第１情報通信装置１００は、情報送信ツール（例えば、電子メール）を使い、文字列や写真等の情報を作成する（ステップＳ２０１）。この情報は、第２情報通信装置２００でコピー可能となる情報であるため、以下、「コピー情報」という。第１情報通信装置１００は、作成したコピー情報を第２情報通信装置２００に送信する（ステップＳ２０２）。
【０００４】
第２情報通信装置２００は、第１情報通信装置１００から受信したコピー情報を開くために適したアプリケーションを起動する（ステップＳ２０３）。そして、コピー情報を表示させた後にコピー範囲を指定してコピー操作を行うことで、第２情報通信装置２００は第１情報通信装置１００から取得したコピー情報をバッファに一時的にコピーする（ステップＳ２０４）。コピーした入力情報をペーストする際には、第２情報通信装置２００においてペーストする対象となるアプリケーションを起動する（ステップＳ２０５）。そして、第２情報通信装置２００においてペースト操作を行うことで、第１情報通信装置１００で作成したコピー情報のペーストが完了する（ステップＳ２０６）。
【０００５】
また、別の従来方法では、第１情報通信装置１００、及び第２情報通信装置２００からアクセスできるウェブ等のネットワーク上に設けられたサーバ（図示せず）を利用する。この方法では、第１情報通信装置１００がサーバにコピー情報をアップロードする。その後、第２情報通信装置２００がサーバにアクセスし、アップロードされたコピー情報をダウンロードし、ダウンロードしたコピー情報を開くためにアプリケーション起動する。そして、コピー情報を表示させた後に範囲を指定してコピー操作を行うことで、第２情報通信装置２００は第１情報通信装置１００で作成した入力情報を別の対象にペーストできる状態となる。その後の動作は、上述したステップＳ２０３〜ステップＳ２０６と同様である。
【先行技術文献】
【特許文献】
【０００６】
【特許文献１】特開２００３−１５９８６号公報
【発明の概要】
【発明が解決しようとする課題】
【０００７】
ところで、近年、情報通信装置の小型化が進んで持ち運びが可能なる等、利便性が向上している。しかしながら、この小型化の結果、十分な入力インターフェースを備えていなかったり、特定の機能を利用するために複雑な操作を必要としたりする等、ユーザの操作性が低下するという問題が生じていた。
【０００８】
例えば、第１情報通信装置を情報入力の操作性に優れた情報通信装置、第２情報通信装置を情報入力の操作性に劣る情報通信装置としたとき、上述した従来の方法により、第１情報通信装置によりコピー情報の作成処理を代理することが可能となる。しかし、一般的に、情報入力の操作性に劣る第２情報通信装置は、画面サイズ、ボタンサイズ、処理性能等は、情報入力の操作性に優れた第１情報通信装置に大幅に劣る。そのため、第２情報通信装置上で行うアプリケーションの起動（数ステップのボタン操作）、共有領域へのアクセス（ユーザＩＤ／パスワードの入力等）、コピー動作（コピーする文字の表示、コピー範囲の選択等）はいずれもユーザに操作の負担を強いるものとなる。
【０００９】
かかる事情に鑑みてなされた本発明の目的は、情報入力の操作性に劣る情報通信装置の操作性・利便性を向上させることが可能な情報通信システム及び情報通信装置を提供することにある。
【課題を解決するための手段】
【００１０】
上記課題を解決するため、本発明に係る情報通信システムは、
第１情報通信装置と、１以上の第２情報通信装置とを備える情報通信システムであって、
前記第１情報通信装置は、
入力された入力情報を表示する第１表示部と、
前記第１表示部に表示された入力情報をコピーしてコピー情報を生成し、前記コピー情報の送信先を前記１以上の第２情報通信装置のいずれかに決定する第１制御部と、
前記第１制御部により決定された第２情報通信装置に前記コピー情報を送信する第１通信部と、を備え、
前記第２情報通信装置は、
前記第１情報通信装置から前記コピー情報を受信する第２通信部と、
前記第２通信部により受信されたコピー情報を記憶する記憶部と、
入力された入力情報を表示する入力情報表示領域、及び前記記憶部により記憶されたコピー情報を表示するコピー情報表示領域を有する第２表示部と、
前記記憶部により記憶されたコピー情報を前記コピー情報表示領域に表示させ、該表示させたコピー情報から選択されなかった情報を前記入力情報表示領域にペーストして表示させる第２制御部と、を備えることを特徴とする。
【００１１】
また、本発明に係る第２情報通信装置は、
第１情報通信装置と、１以上の第２情報通信装置とを備える情報通信システムにおける第２情報通信装置であって、
前記第１情報通信装置からコピー情報を受信する通信部と、
前記通信部により受信されたコピー情報を記憶する記憶部と、
入力された入力情報を表示する入力情報表示領域、及び前記記憶部により記憶されたコピー情報を表示するコピー情報表示領域を有する表示部と、
前記記憶部により記憶されたコピー情報を前記コピー情報表示領域に表示させ、該表示させたコピー情報から選択されなかった情報を前記入力情報表示領域にペーストして表示させる制御部と、
を備えることを特徴とする。
【発明の効果】
【００１５】
本発明によれば、ユーザは情報入力の操作性に優れた情報通信装置を利用してコピー情報を作成し、情報を共有することで、情報入力の操作性に劣る情報通信装置において、情報を入力する手間を削減することができ、かつ、ペースト操作を容易に行うことができる。かくして、情報入力の操作性に劣る情報通信装置における操作性・利便性を向上させることができるようになる。
【図面の簡単な説明】
【００１６】
【図１】本発明の一実施形態に係る情報通信システムの概略構成を示すブロック図である。
【図２】本発明の一実施形態に係る情報通信システムの動作を示すフローチャートである。
【図３】本発明の一実施形態に係る情報通信システムにおける第１情報通信装置の概略構成を示すブロック図である。
【図４】本発明の一実施形態に係る情報通信システムにおける第１情報通信装置の表示部の表示例を示す図である。
【図５】本発明の一実施形態に係る情報通信システムにおける第１情報通信装置の操作部の一例を示す図である。
【図６】本発明の一実施形態に係る情報通信システムにおける第２情報通信装置の概略構成を示すブロック図である。
【図７】本発明の一実施形態に係る情報通信システムにおける第２情報通信装置の表示部の第１の表示例を示す図である。
【図８】本発明の一実施形態に係る情報通信システムにおける第２情報通信装置の表示部の第２の表示例を示す図である。
【図９】本発明の一実施形態に係る情報通信システムにおける第２情報通信装置のペースト操作の一例を示す図である。
【図１０】従来の情報通信装置間で情報を受け渡してコピー＆ペースト操作を行う場合の動作を説明するフローチャートである。
【発明を実施するための形態】
【００１７】
十分な入力インターフェースを備えていない第２情報通信装置では、複雑な操作を省き最低限の操作により、十分な入力インターフェースを備えている第１情報通信装置で作成したコピー情報を第２情報通信装置で使用（ペースト）できる事が望ましい。本発明では、第２情報通信装置が第１情報通信装置から入力情報を受け取る際に、第２情報通信装置が従来行っていた、コピー情報を参照するためのアプリケーションの起動、コピー情報を参照するための共有領域のアクセス、及びコピー情報を選択指定するコピー動作を削減する方法を提案する。
【００１８】
［情報通信システム］
まず、本発明の一実施形態に係る情報通信システムについて説明する。図１は、情報通信システムの概略構成を示すブロック図である。図１に示すように、情報通信システム１は、第１情報通信装置１０と、１以上の第２情報通信装置２０と、サーバ３０とを備える。図１では、３つの第２情報通信装置２０−１，２０−２，２０−３を示している。
【００１９】
第１情報通信装置１０は、デスクトップＰＣ、ノートＰＣ等、第２情報通信装置２０と比較して入力操作を行うのに十分な大きさの入力インターフェースを備え、情報入力の操作性に優れた情報通信装置である。第１情報通信装置１０は、入力された入力情報（文字、画像、又は写真等）をコピーして、コピー情報を生成する。コピー情報は、第１情報通信装置１０に一時的に記憶される。そして、第１情報通信装置１０は、コピー情報をサーバ３０に送信する。
【００２０】
サーバ３０は、第１情報通信装置１０、及び第２情報通信装置２０と接続され、第１情報通信装置１０、及び第２情報通信装置２０からアクセス可能な共有サーバである。サーバ３０は、第１情報通信装置１０から受信したコピー情報を第２情報通信装置２０に送信する。なお、本実施形態では、第１情報通信装置１０がサーバ３０を介してコピー情報を第２情報通信装置２０に送信する例について説明するが、サーバ３０を設けずに、赤外線やブルートゥースによる無線通信等により、第１情報通信装置１０がコピー情報を第２情報通信装置２０に直接送信するようにしてもよい。
【００２１】
第２情報通信装置２０は、タブレットＰＣ、携帯電話、スマートフォン等、第１情報通信装置１０と比較して入力インターフェースが小さく、情報入力の操作性に劣る小型の情報通信装置である。本発明は文字、画像、写真等を入力・表示可能なアプリケーションを起動（以下、該アプリケーションを起動させるモードを「入力モード」ともいう。）した際におけるペースト処理に特徴があるため、以下では、入力モードを中心に説明するが、第２情報通信装置２０は、電話、ゲーム、音楽視聴、インターネット接続等、用途に応じた様々なアプリケーションを有することができる。詳細は後述するが、第２情報通信装置２０は、入力モードが選択されると、サーバ３０から受信したコピー情報を表示する。ユーザは、コピー情報から特定の情報を選択することによりペーストすることができる。なお、第１情報通信装置１０と第２情報通信装置２０のユーザは、必ずしも同一である必要はない。
【００２２】
次に、このように構成される情報通信システム１の動作について、図２を参照して説明する。図２は、情報通信システムの動作を示すフローチャートである。まず、サーバ３０は、ユーザによる操作に基づき、コピー情報を共有可能な１以上の第２情報通信装置２０を登録する（ステップＳ１０１）。第１情報通信装置１０は、ユーザによる操作に基づき、ステップＳ１０１により登録されている１以上の第２情報通信装置２０から、コピー情報を共有させる第２情報通信装置２０を指定する（ステップＳ１０２）。なお、ステップＳ１０２は、以下に述べるステップＳ１０３及びステップＳ１０４の間に行ってもよい。
【００２３】
第１情報通信装置１０は、ユーザによる操作に基づき、コピー情報を生成する（ステップＳ１０３）。例えば、文書作成用のアプリケーションを起動して文字を入力又は作成済み文章をオープンし、範囲を選択してコピー操作を行ったり、ウェブブラウザを起動してウェブページから範囲を選択してコピー操作を行ったり、画像閲覧用のアプリケーションを起動して画像をオープン又は指定してコピー操作を行ったりすることにより、コピー情報を生成する。そして、第１情報通信装置１０は、生成したコピー情報をサーバ３０に送信する（ステップＳ１０４）。
【００２４】
サーバ３０は、ステップＳ１０４により第１情報通信装置１０から送信されるコピー情報を受信し、受信したコピー情報を、ステップＳ１０２により指定された第２情報通信装置２０に送信する（ステップＳ１０５）。例えば、ステップＳ１０１において第２情報通信装置２０−１，２０−２，２０−３を登録しており、ステップＳ１０２において第２情報通信装置２０−１，２０−２が指定された場合には、図１に示すように、サーバ３０は第２情報通信装置２０−１，２０−２にのみコピー情報を送信する。
【００２５】
第２情報通信装置２０は、ステップＳ１０５によりコピー情報を受信すると、コピー情報を記憶する（ステップＳ１０６）。第２情報通信装置２０は、ユーザの操作により入力モードが選択されると（ステップＳ１０７）、ステップＳ１０６により記憶したコピー情報を表示させる（ステップＳ１０８）。ステップＳ１０８によるコピー情報の表示は、ユーザの操作によりペースト機能が呼び出された後に表示させてもよいし、入力モードが選択されると同時に自動的に表示させてもよい。ステップＳ１０８により表示されたコピー情報から所定の情報がユーザにより選択されると、選択された情報を入力情報の表示領域にペーストする。つまり、第２情報通信装置２０のユーザは、コピー操作をするために別途アプリケーションを起動することなく、表示されているコピー情報からペーストしたい情報を選択するだけで、ペーストを行うことができる。
【００２６】
［第１情報通信装置］
次に、本発明の一実施形態に係る情報通信システムにおける第１情報通信装置ついて説明する。図３は、第１情報通信装置の概略構成を示すブロック図である。図３に示すように、第１情報通信装置１０は、操作部（第１操作部）１１と、表示部（第１表示部）１２と、記憶部（第１記憶部）１３と、通信部（第１通信部）１４と、制御部１５（第１制御部）とを備える。
【００２７】
操作部１１は、キーボードやマウス等の入力インターフェースであり、ユーザにより操作キーが押下されることにより、所定の操作を行う。例えば、メールや文書作成用のアプリケーションを起動し、入力情報を入力する。
【００２８】
記憶部１３は、入力された各種情報や第１情報通信装置１０を動作させるためのプログラム等を記憶するとともに、ワークメモリとしても機能する。また、記憶部１３は、第１情報通信装置１０により作成されたコピー情報を一時的に記憶し、電源がオフになった場合には一時的に記憶したコピー情報を消去する。
【００２９】
表示部１２は、例えば、液晶表示パネル（ＬＣＤ）や有機ＥＬ表示パネル等を用いて構成される。表示部１２は、入力された入力情報を表示する入力情報表示領域１２１と、右クリック等の所定の操作がなされた時に、ポップアップメニューを表示させるポップアップメニュー表示領域１２２とを有する。
【００３０】
制御部１５は、操作部１１、表示部１２、記憶部１３、及び通信部１４の動作を制御する。また、制御部１５は、入力情報制御部１５１と、コピー情報記憶先制御部１５２とを有する。入力情報制御部１５１は、入力モードが選択されると、アプリケーションを起動し、入力された文字を表示部１２の入力情報表示領域１２１に表示する。また、入力情報制御部１５１は、操作部１１により所定の操作がなされると、入力情報をコピーしてコピー情報を生成し、一時的に記憶部１３に記憶する。
【００３１】
コピー情報記憶先制御部１５２は、コピー情報の保存先をローカル（第１情報通信装置１０自身）とするか、いずれの第２情報通信装置２０とするかをユーザの指示に基づいて決定する。コピー情報記憶先制御部１５２は、生成したコピー情報を記憶させることが可能な第２情報通信装置２０の一覧を、表示部１２のポップアップメニュー表示領域１２２に表示させ、ユーザにポップアップメニューから保存先を決定させるようにしてもよい。
【００３２】
通信部１４は、他の情報通信装置とネットワークを介してデータを送受信する。また、通信部１４は、コピー情報記憶先制御部１５２により決定された第２情報通信装置２０に、入力情報制御部１５１により生成されたコピー情報を送信する。なお、図１に示す情報通信システム１の例では、サーバ３０を介してコピー情報を第２情報通信装置２０に送信するが、第２情報通信装置２０に直接送信することも可能である。
【００３３】
図４は、第１情報通信装置の表示部の表示例を示す図である。図４（ａ）は、入力情報表示領域１２１に「川崎市宮前区小台×−×−×○○マンション１０１号室」という文字列が入力されている状態を示している。図４（ｂ）は、入力された文字列のうち「川崎市宮前区小台×−×−×」という文字列が選択された状態を示している。
【００３４】
図４（ｃ）は、選択された文字列が右クリックされ、ポップアップメニュー表示領域１２２を表示した状態を示している。従来の情報通信装置ではポップアップメニューとして「コピー」は一種類のみ表示されるところ、本実施形態の第１情報通信装置１０では、コピー情報記憶先制御部１５２により、選択可能なコピーの記憶先として「コピー（ローカル）」、「コピー（Ｍ１）」、「コピー（Ｍ２）」、「コピー（Ｍ３）」を表示する。ここで、「コピー（ローカル）」が選択された場合は、コピー情報記憶先制御部１５２は、従来のコピー動作と同様に、コピーした情報を第１情報通信装置１０の記憶部１３に一時的に記憶する。コピー情報記憶先制御部１５２は、「コピー（Ｍ１）」が選択された場合はコピーした情報を第２情報通信装置２０−１に、「コピー（Ｍ２）」が選択された場合はコピーした情報を第２情報通信装置２０−２に、「コピー（Ｍ３）」が選択された場合はコピーした情報を第２情報通信装置２０−３に、直接、又はサーバ３０を介して送信するように制御する。
【００３５】
ここで、情報入力の操作性に優れた第１情報通信装置１０であっても、コピーする対象が増えコピー操作の回数が増えてくると、そのつど入力情報からコピーする範囲を選択し、コピー情報の記憶先を決定するという操作が煩わしくなる。そこで、第１情報通信装置１０におけるコピー操作及びコピー情報の記憶先の選択操作を簡易化するために、入力情報の確定受付状態時に所定の操作がなされると、コピー情報記憶先制御部１５２は、入力情報を確定すると同時に該入力情報をコピー情報とみなし、あらかじめ指定された第２情報通信装置２０に送信するように制御してもよい。例えば、操作部１１にコピー情報共有ボタン１１１を新たに設け、コピー情報共有ボタン１１１が押下されると、コピー情報記憶先制御部１５２は、入力情報をコピー情報としてあらかじめ指定された第２情報通信装置２０に送信するように制御する。
【００３６】
図５は、第１情報通信装置１０の操作部１１がコピー情報共有ボタン１１１を有する場合における、操作部１１の一部を示す図である。この図では、コピー情報共有ボタン１１１を「Ｅｎｔｅｒ＆Ｓｈａｒｅ」キーとして図示している。入力情報の確定受付状態時に「Ｅｎｔｅｒ」キーが押下されると、従来通り入力情報の確定を行う。一方、入力情報の確定受付状態時にコピー情報共有ボタン１１１である「Ｅｎｔｅｒ＆Ｓｈａｒｅ」キーが押下されると、入力情報制御部１５１は、入力情報をコピー情報とみなし、コピー情報記憶先制御部１５２は、入力情報（コピー情報）をあらかじめ指定された第２情報通信装置２０に送信するように制御する。
【００３７】
ここでは、操作部１１がコピー情報共有ボタン１１１を物理的に有する例を説明したが、コピー情報共有ボタン１１１を新たに設けずに、既存のボタンが押下、あるいは既存の複数のボタンが連続して押下されたときに、同じ処理を行うように制御してもよい。
【００３８】
［第２情報通信装置］
次に、本発明の一実施形態に係る情報通信システムにおける第２情報通信装置について説明する。図６は、第２情報通信装置の概略構成を示すブロック図である。図６に示すように、第２情報通信装置２０は、操作部（第２操作部）２１と、表示部２２（第２表示部）と、記憶部（第２記憶部）２３と、通信部（第２通信部）２４と、制御部（第２制御部）２５とを備える。
【００３９】
通信部２４は、他の情報通信装置とネットワークを介してデータを送受信する。図１に示す情報通信システム１の例では、通信部２４は、サーバ３０とデータを送受信するが、第１情報通信装置１０と直接データを送受信することも可能である。
【００４０】
操作部２１は、キーボードやタッチパネル等の入力インターフェースであり、入力モード時には、ユーザにより操作キーが押下されることにより、あるいは、ユーザによりタッチパネルが接触されることにより、情報を入力する。
【００４１】
記憶部２３は、入力された各種情報や第２情報通信装置２０を動作させるためのプログラム等を記憶するとともに、ワークメモリとしても機能する。また、記憶部２３は、第１情報通信装置１０により作成されたコピー情報を逐次記憶し、複数の文字列で構成されるコピー単位情報の集合体として記憶する。具体的には、第１情報通信装置１０から一度に送信されるコピー情報をコピー単位情報とする。例えば、第１情報通信装置１０から２回にわたって、「今日は定時で帰ります。」、及び「Ｈｏｗ ａｒｅ ｙｏｕ？」という情報が送信された場合、記憶部３２には、「今日は定時で帰ります。」というコピー単位情報、及び「Ｈｏｗ ａｒｅ ｙｏｕ？」というコピー単位情報が記憶されることになる。ただし、コピー単位情報は後に分割したり、他のコピー単位情報と接続したりすることが可能である。
【００４２】
表示部２２は、例えば、液晶表示パネル（ＬＣＤ）や有機ＥＬ表示パネル等を用いて構成される。表示部２２は、入力された入力情報を表示する入力情報表示領域２２１と、記憶部２３に記憶されているコピー情報を表示するコピー情報表示領域２２２とを有する。なお、入力情報表示領域２２１及びコピー情報表示領域２２２は制御部２５の制御により、表示部２２上の任意の領域に設定される。
【００４３】
制御部２５は、操作部２１、表示部２２、記憶部２３、及び通信部２４の動作を制御する。また、制御部２５は、入力情報制御部２５１と、コピー情報制御部２５２とを有する。入力情報制御部２５１は、入力モード（文字等を入力可能なアプリケーション）が選択されると、アプリケーションを起動し、入力された文字を表示部２２の入力情報表示領域２２１に表示する。
【００４４】
コピー情報制御部２５２は、入力モードが選択されると、その直後に、あるいはコピー情報を表示させる旨の操作が行われた後に、記憶部２３に記憶されたコピー情報を表示部２２のコピー情報表示領域２２２に表示させる。そして、コピー情報制御部２５２は、コピー情報表示領域２２２に表示されたコピー情報のうち、ユーザにより選択された情報を入力情報表示領域２２１にペーストして表示させる。これにより、選択された情報のペーストが完了する。コピー情報表示領域２２２に表示されたコピー情報からペーストする範囲を選択する際には、コピー単位情報で選択することができる。また、コピー単位情報の一部の情報のみを選択してペーストすることも可能である。また、コピー情報制御部２５２は、ユーザの指示に基づき、コピー情報表示領域２２２にさせるコピー情報の一部を削除したり、表示させる順番を並び替えたりすることも可能である。
【００４５】
次に、第２情報通信装置の表示部の表示例について説明する。図７は、第２情報通信装置２０の表示部２２の第１の表示例を示す図である。図７（ａ）は、メールのアプリケーションを起動し、表示部２２に入力情報表示領域２２１を表示し、本文に「今の住所を連絡します。」と入力されている状態を示している。図７（ｂ）は、所定の操作によりペースト機能が呼び出され、入力情報表示領域２２１内にコピー情報表示領域２２２を表示した状態を示している。コピー情報制御部２５２は、コピー情報表示領域２２２に、「川崎市宮前小台×−×−×」、「今日は定時で帰ります。」、「明日はボーリング」といったコピー情報を、コピー単位情報ごとに表示する。コピー情報表示領域２２２から「川崎市宮前小台×−×−×」というコピー単位情報が選択されると、図７（ｃ）に示すように、コピー情報制御部２５２は、選択されたコピー単位情報を入力情報表示領域２２１に表示させる。
【００４６】
図８は、第２情報通信装置２０の表示部２２の第２の表示例を示す図である。図８に示す例では、入力情報表示領域２２１の下に、コピー情報表示領域２２２を並べて表示している。なお、コピー情報表示領域２２２の表示はオン／オフの切り替えが可能である。蓄積されたコピー情報の量が多い場合には、コピー情報のうちの一部がコピー情報表示領域２２２に表示されることとなる。図８に示す例では、コピー情報として、記憶部２３に「今日は定時で帰ります。」、「Ｈｏｗ ａｒｅ ｙｏｕ？」、及び「○○○株式会社△△△△事業本部□□□□□統括事業部××××課」、及び「７時にたまプラーザに集合です。」というコピー単位情報が記憶（登録）されており、これらのコピー情報がコピー情報表示領域２２２に表示されている。なお、コピー単位情報ごとにスペースを空けて表示してもよい。
【００４７】
図８に示す例では、コピー情報がコピー情報表示領域２２２に一度に表示できる量を超えているため、コピー情報のうち、「今日は定時で帰ります。Ｈｏｗ ａｒｅ ｙｏｕ？○○○株式会社△△△△事業本部□□□□□統括事業部×」という情報がコピー情報表示領域２２２に表示されている。また、コピー情報表示領域２２２にまだ表示できない情報が存在しており、その文字列をある程度予想できるようにするために、コピー情報表示領域２２２の最終行に、文字列の上半分のみを表示させている。コピー情報表示領域２２２内に表示されていない情報は、画面をスクロールする等の操作により、コピー情報表示領域２２２に表示させることができる。
【００４８】
コピー情報表示領域２２２に表示されているコピー情報のうち、所定の操作によりペーストする範囲が選択されると、コピー情報制御部２５２は、選択されたコピー情報を入力情報表示領域２２１にペーストして表示させる。ペーストする範囲の選択は、操作部２１がタッチパネルで構成されている場合には、なぞることにより選択でき、表示部２２がキーボードで構成されている場合には、キー操作で範囲を指定することにより選択できる。
【００４９】
図９は、コピー情報表示領域２２２に図８に示すコピー情報が表示されているときの、ペースト操作の一例を示す図である。この例では、コピー情報のうちペーストしたい情報のみを操作体（指やペン等）でなぞることにより、ペーストする範囲を選択する。図９（ａ）は、入力情報表示領域２２１に「おはようございます。」と入力され、その後「○○○△△△△事業本部」という文字列が、指でなぞることによりペーストする範囲として選択された状態を示している。コピー情報からペーストする範囲が選択されると、図９（ｂ）に示すように、コピー情報制御部２５２は、「○○○△△△△事業本部」という選択されたコピー情報を、入力情報表示領域２２１に表示させる。
【００５０】
上述した方法に限られず、様々な方法により、コピー情報表示領域２２２に表示されたコピー情報からペーストさせることができる。例えば、コピー単位情報内で、選択された箇所以外の情報をペーストするようにしてもよい。この方法の場合、「○○○株式会社です」という文字列のうち、「株式会社」という文字が選択されると、コピー情報制御部２５２は、選択されていない「○○○です」という文字列を入力情報表示領域２２１に表示させる。
【００５１】
なお、コピー情報制御部２５２は、選択される方向が左から右方向である場合も、右から左方向である場合も、同じ処理を行う。すなわち、右から左方向になぞられた場合であっても、コピー情報制御部２５２は、入力情報表示領域２２１には選択された文字列を左から右の順序に表示させる。また、コピー情報制御部２５２は、コピー情報から１文字ずつ選択された場合も、なぞられた場合と同様に、選択された文字を入力情報表示領域２２１に表示させる。また、操作部２１がタッチパネルで構成される場合、コピー情報制御部２５２は、ユーザがコピー単位情報をタッチした後に上方向や下方向にはじく動作（フリック）をした場合に、タッチされたコピー単位情報を入力情報表示領域２２１表示させるようにしてもよい。
【００５２】
このように、本実施形態の情報通信システム１は、第１情報通信装置１０と、第２情報通信装置２０とを備え、第１情報通信装置１０は、第１表示部１２に表示された入力情報をコピーしてコピー情報を生成し、コピー情報の送信先を１以上の第２情報通信装置２０のいずれかに決定し、決定した第２情報通信装置２０にコピー情報を送信する。第２情報通信装置２０は、第１情報通信装置１０からコピー情報を受信し、受信したコピー情報をコピー情報表示領域２２２に表示させ、該表示させたコピー情報のうち選択された情報を入力情報表示領域２２１に表示させる。このため、情報通信システム１によれば、第１情報通信装置１０で作成したコピー情報を共有することで、第２情報通信装置２０において情報を入力する手間を削減することができ、かつ、ペースト操作を容易に行うことができる。かくして、情報入力の操作性に劣る情報通信装置における操作性・利便性を向上させることができるようになる。
【００５３】
また、第１情報通信装置１０の制御部１５は、生成したコピー情報を記憶させることが可能な第２情報通信装置２０の一覧を前記表示部に表示させてもよい。これにより、ユーザは、コピー情報の記憶先を容易に選択でき、操作性・利便性を向上させることができる。
【００５４】
また、第１情報通信装置１０の制御部１５は、入力情報の確定受付状態時に所定の操作がなされると、制御部１５は入力情報を確定すると同時に該入力情報をコピー情報とみなし、あらかじめ指定された第２情報通信装置２０に送信するように制御してもよい。これにより、第１情報通信装置１０におけるコピー操作及びコピー情報の記憶先の選択操作を省略することができ、操作性・利便性を向上させることができる。
【００５５】
上述の実施形態は、代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。
【符号の説明】
【００５６】
１      情報通信システム
１０    第１情報通信装置
１１    操作部
１２    表示部
１３    記憶部
１４    通信部
１５    制御部
２０    第２情報通信装置
２１    操作部
２２    表示部
２３    記憶部
２４    通信部
２５    制御部
３０    サーバ
１２１  入力情報表示領域
１２２  ポップアップメニュー表示領域
１５１  入力情報制御部
１５２  コピー情報記憶先制御部
２２１  入力情報表示領域
２２２  コピー情報表示領域
２５１  入力情報制御部
２５２  コピー情報制御部
【図１】
0005923285.tif 000002
【図２】
0005923285.tif 000003
【図３】
0005923285.tif 000004
【図４】
0005923285.tif 000005
【図５】
0005923285.tif 000006
【図６】
0005923285.tif 000007
【図７】
0005923285.tif 000008
【図８】
0005923285.tif 000009
【図９】
0005923285.tif 000010
【図１０】
0005923285.tif 000011